(57)【要約】【課題】従来のものに比べて装飾効果を一層高めることができる発光具を提供する。【解決手段】化学反応により発光し形態が変化する発光体３と、発光体３の発光に伴って映像を表示する映像表示部５とを有する発光具１である。【選択図】図１
2015148742.tif 000002
【特許請求の範囲】
【請求項１】
形態が変化する発光体と、
前記発光体の発光に伴って映像を表示する映像表示部と、
を有することを特徴とする発光具。
【請求項２】
請求項１に記載の発光具において、
前記映像表示部は、プロジェクタによって投射された映像を表示するスクリーン（１１）で構成されていることを特徴とする発光具。
【請求項３】
請求項１または請求項２に記載の発光具において、
前記発光体の形態を検出する発光体検出部と、
前記発光体検出部の検出結果に応じて、前記映像表示部で表示する映像を変えるように構成されていることを特徴とする発光具。
【請求項４】
請求項１〜請求項３のいずれか１項に記載の発光具において、
前記発光体は、液体であって容器に注がれるようになっており、注がれた量に応じて形態が変化するように構成されていることを特徴とする発光具。
【請求項５】
請求項４に記載の発光具において、
前記容器は、筒状の素材の両端をお互いにつなげた環状に形成されており、
前記容器の上端部に、前記容器内に前記発光体を入れるための注ぎ口（１３）が設けられていることを特徴とする発光具。
【請求項６】
請求項５に記載の発光具において、
前記映像表示部は、平板状に形成されており、縁部の全周が前記環状の容器に係合していることで前記環状の容器の内側に設けられていることを特徴とする発光具。
【請求項７】
請求項５または請求項６に記載の発光具において、
基台を備え、前記容器は前記基台に対して着脱自在になっており、前記映像表示部は前記基台の一部で構成されていることを特徴とする発光具。
【請求項８】
請求項４に記載の発光具において、
前記発光体は、容器から溢れ出ることでも、形態が変化するように構成されており、
前記映像表示部は、前記容器に近接して設けられていることを特徴とする発光具。
【請求項９】
請求項８に記載の発光具において、
前記容器は複数設けられており、これらの容器は、上下方向で順にならんで配置されており、上側の容器から溢れ出た発光体が、前記上側の容器の下側に配置されている下側の容器に入るように構成されていることを特徴とする発光具。
【請求項１０】
請求項９に記載の発光具において、
階段状部が設けられている基台を備え、前記各容器は、前記階段状部に設置されており、
前記映像表示部は、前記基台の側面に設けられていることを特徴とする発光具。
【請求項１１】
請求項８に記載の発光具において、
底板部と複数本の柱とを備え、前記各柱はお互いの高さが異なっていて高さ順にならんで前記底板部に立設されており、
前記各柱の上端部に前記各容器が設けられており、
前記映像表示部は、板状に形成されており、前記各柱と前記各容器とが一方の側に位置するように前底板部に立設されていることを特徴とする発光具。
【請求項１２】
請求項８に記載の発光具において、
前記映像表示部は筒状に形成されており、筒状の映像表示部は、中心軸が上下方向に延びるようにして配置されており、
前記容器は、前記筒状の映像表示部の上端に設けられており、容器から溢れ出た発光体は、前記筒状の映像表示部の外側で下方に流れるように構成されていることを特徴とする発光具。
【請求項１３】
請求項４または請求項８に記載の発光具において、
前記容器が載置される容器載置部と、この容器載置部に隣接し前記容器載置部のところから斜め上方に向かって延びている階段状部が設けられているテーブルを有し、
前記映像表示部は、前記テーブルの階段状部で構成されていることを特徴とする発光具。
【発明の詳細な説明】
【技術分野】
【０００１】
本発明は、発光具に係り、イベント等で使用されるものに関する。
【背景技術】
【０００２】
従来、チューブ内に発光液が封入されている発光具が知られている（たとえば、特許文献１参照）。
【先行技術文献】
【特許文献】
【０００３】
【特許文献１】特開２００９−１８９６１０
【発明の概要】
【発明が解決しようとする課題】
【０００４】
従来の発光具は、それだけでもかなりの装飾効果を得ることができる。しかしながら、発光具において装飾効果を一層高めることは、いつのときにおいても望まれるものである。
【０００５】
本発明は、上記問題点に鑑みてなされたものであり、従来のものに比べて装飾効果を一層高めることができる発光具を提供することを目的とする。
【課題を解決するための手段】
【０００６】
請求項１に記載の発明は、形態が変化する発光体と、前記発光体の発光に伴って映像を表示する映像表示部とを有する発光具である。
【０００７】
請求項２に記載の発明は、請求項１に記載の発光具において、前記映像表示部は、プロジェクタによって投射された映像を表示するスクリーンで構成されている発光具である。
【０００８】
請求項３に記載の発明は、請求項１または請求項２に記載の発光具において、前記発光体の形態を検出する発光体検出部と、前記発光体検出部の検出結果に応じて、前記映像表示部で表示する映像を変えるように構成されている発光具である。
【０００９】
請求項４に記載の発明は、請求項１〜請求項３のいずれか１項に記載の発光具において、前記発光体は、液体であって容器に注がれるようになっており、注がれた量に応じて形態が変化するように構成されている発光具である。
【００１０】
請求項５に記載の発明は、請求項４に記載の発光具において、前記容器は、筒状の素材の両端をお互いにつなげた環状に形成されており、前記容器の上端部に、前記容器内に前記発光体を入れるための注ぎ口が設けられている発光具である。
【００１１】
請求項６に記載の発明は、請求項５に記載の発光具において、前記映像表示部は、平板状に形成されており、縁部の全周が前記環状の容器に係合していることで前記環状の容器の内側に設けられている発光具である。
【００１２】
請求項７に記載の発明は、請求項５または請求項６に記載の発光具において、基台を備え、前記容器は前記基台に対して着脱自在になっており、前記映像表示部は前記基台の一部で構成されている発光具である。
【００１３】
請求項８に記載の発明は、請求項４に記載の発光具において、前記発光体は、容器から溢れ出ることでも、形態が変化するように構成されており、前記映像表示部は、前記容器に近接して設けられている発光具である。
【００１４】
請求項９に記載の発明は、請求項８に記載の発光具において、前記容器は複数設けられており、これらの容器は、上下方向で順にならんで配置されており、上側の容器から溢れ出た発光体が、前記上側の容器の下側に配置されている下側の容器に入るように構成されている発光具である。
【００１５】
請求項１０に記載の発明は、請求項９に記載の発光具において、階段状部が設けられている基台を備え、前記各容器は、前記階段状部に設置されており、前記映像表示部は、前記基台の側面に設けられている発光具である。
【００１６】
請求項１１に記載の発明は、請求項８に記載の発光具において、底板部と複数本の柱とを備え、前記各柱はお互いの高さが異なっていて高さ順にならんで前記底板部に立設されており、前記各柱の上端部に前記各容器が設けられており、前記映像表示部は、板状に形成されており、前記各柱と前記各容器とが一方の側に位置するように前底板部に立設されている発光具である。
【００１７】
請求項１２に記載の発明は、請求項８に記載の発光具において、前記映像表示部は筒状に形成されており、筒状の映像表示部は、中心軸が上下方向に延びるようにして配置されており、前記容器は、前記筒状の映像表示部の上端に設けられており、容器から溢れ出た発光体は、前記筒状の映像表示部の外側で下方に流れるように構成されている発光具である。
【００１８】
請求項１３に記載の発明は、請求項４または請求項８に記載の発光具において、前記容器が載置される容器載置部と、この容器載置部に隣接し前記容器載置部のところから斜め上方に向かって延びている階段状部が設けられているテーブルを有し、前記映像表示部は、前記テーブルの階段状部で構成されている発光具である。
【発明の効果】
【００１９】
本発明によれば、装飾効果を一層高めることができる発光具を提供することができるという効果を奏する。
【図面の簡単な説明】
【００２０】
【図１】本発明の実施形態に係る発光具の概略構成を示す図である。
【図２】本発明の実施形態に係る発光具の発光体の注ぎ口のところの断面を示す図である。
【図３】本発明の実施形態に係る発光具の概略構成を示す側面図である。
【図４】１つ目の変形例に係る発光具の概略構成を示す斜視図である。
【図５】２つ目の変形例に係る発光具の概略構成を示す斜視図である。
【図６】３つ目の変形例に係る発光具の概略構成を示す斜視図である。
【図７】４つ目の変形例に係る発光具の概略構成を示す斜視図である。
【図８】４つ目の変形例に係る発光具を構成する容器の概略構成を示す斜視図である。
【図９】４つ目の変形例に係る発光具を構成する容器の概略構成を示す断面図である。
【図１０】４つ目の変形例に係る発光具を構成する映像表示部の概略構成を示す斜視図である。
【図１１】５つ目の変形例に係る発光具の概略構成を示す斜視図である。
【図１２】５つ目の変形例に係る発光具の概略構成を示す平面図である。
【図１３】６つ目の変形例に係る発光具の概略構成を示す斜視図である。
【図１４】６つ目の変形例に係る発光具の上部の断面図である。
【図１５】７つ目の変形例に係る発光具の概略構成を示す斜視図である。
【図１６】７つ目の変形例に係る発光具の概略構成を示す正面図である。
【図１７】７つ目の図１６におけるＸＶＩＩ−ＸＶＩＩ断面を示す図である。
【図１８】７つ目の変形例に係る発光具の概略構成を示す底面図である。
【図１９】７つ目の図１８におけるＸＩＸ−ＸＩＸ断面を示す図である。
【図２０】８つ目の変形例に係る発光具の概略構成を示す正面図である。
【図２１】８つ目の変形例に係る発光具の概略構成を示す平面図である。
【発明を実施するための形態】
【００２１】
本発明の実施形態に係る発光具１は、たとえば、結婚披露宴等のイベントにおいて床に設置され使用されるものであり、披露宴の間、設置されている場所から移動することなく使用される。
【００２２】
発光具１は、図１〜図３で示すように、発光体（発光部）３と映像表示部５とを備えて構成されている。発光体３は、化学反応により発光し、時刻の経過に伴って形態が変化するようになっている。
【００２３】
映像表示部５は、発光体３の発光に伴って映像を表示するようになっている。発光具１を所定の方向から見ると、発光体３の少なくとも一部と映像表示部５の少なくとも一部とがお互いに接しているか、もしくは、発光体３の少なくとも一部と映像表示部５の少なくとも一部とがお互いに重なるように構成されている。
【００２４】
また、発光体３の形態が変化している時間の少なくとも一部と、映像表示部５が映像を表示している時間の少なくとも一部とが、お互いに重なっている。
【００２５】
発光体３は、液体であり、容器７内に注がれるようになっており、注がれた量に応じて形態が変化するように構成されている。容器７は透明もしくは半透明になっている。
【００２６】
発光体３は、蛍光液（たとえば、株式会社ルミカ製のＬＵＭＩＮＯＵＳβ）と酸化液（たとえば、株式会社ルミカ製のＬＵＭＩＮＯＵＳα）とを混合することで生成されるようになっている。上記混合は、容器７内に注がれるときになされる。
【００２７】
映像表示部５は、プロジェクタ９によって投射された映像を表示するスクリーン１１で構成されている。スクリーン１１は、不透明であってもよいし、スリガラスにような半透明であってもよいし、透明になっていてもよい。また、映像表示部５を、液晶表示装置等の他の表示装置で構成してもよい。スクリーン１１は、容器７に一体的に設けられているが、容器７から僅かに離れて容器７の近傍に設けられていてもよい。
【００２８】
また、発光具１では、容器７への発光体３の注ぎ始めからの時刻の経過にともなって映像表示部５で表示する映像を変えているが、発光具１に、発光体の形態を検出する発光体検出部（図示せず）を設け、発光体検出部の検出結果に応じて、映像表示部５で表示する映像を変えるように構成してもよい。
【００２９】
この場合、発光体検出部は、容器７内の発光体３の液面の高さを検出する液面センサを備えて構成されている。液面センサは、たとえば、複数設けられており、発光体３を容器７に注いでいるときに上昇する発光体３の液面の高さを、複数箇所で測定することができるようになっている。
【００３０】
たとえば、液面センサが２つ設けられており、１つ目の液面センサは、容器７内の発光体３の液面の高さが低いときの液面を検出するようになっており、２つ目の液面センサは、容器７内の発光体３の液面の高さが高いときの液面を検出するようになっている。
【００３１】
そして、ＣＰＵとメモリとを備えた制御部（図示せず）の制御の下、液面センサによる発光体３の液面の検出結果に応じて、プロジェクタ９が投射する映像を変えるように構成されている（メモリに予め格納されていた映像から適宜の映像を選択しこの選択した映像を表示するようになっている）。
【００３２】
なお、発光体検出部を、上述した液面センサで構成することに代えてもしくは加えて、容器７から溢れた発光体を検出する発光体検出センサで構成してもよい。
【００３３】
さらに、発光体検出部を、たとえば、プロジェクタ９に隣接して設けられたカメラ（図示せず）と制御部に設けられた画像処理部とで構成してもよい。そして、カメラで撮影された発光体３の形態（形状）に応じて、プロジェクタ９が投射する映像を変えるようにしてもよい。
【００３４】
容器７は、筒状の素材の両端をお互いにつなげた環状に形成されている。容器７の上端部には、容器７内に発光体３を入れるための注ぎ口１３が設けられている。
【００３５】
容器７は、たとえば、ハート型の環状になっており、ハートの凹んでいる部位（底点）１５が上側に位置し、ハートの尖っている部位（尖点）１７が下端に位置している。ハートの環の中心軸Ｃ１は水平方向に延伸している。ただし、容器７は、中心軸Ｃ１まわりで僅かに回転した姿勢になっており、これによって容器７が僅かに傾いている。たとえば、ハートの底点１５から延びている一方の管の部位（底点近傍の部位）１９は、ほぼ水平方向に延びており、ハートの底点１５から延びている他方の管の部位（底点近傍の部位）２１は、斜め上方に延びている。
【００３６】
注ぎ口１３は、ハートの底点１５から延びている他方の管の部位２１の上端に設けられている。注ぎ口１３から注がれた発光体（蛍光液と酸化液）３は、一方の側（底点１５側）にのみ流れ下るように構成されている。
【００３７】
映像表示部５を構成しているスクリーン１１は、平板状に形成されており、縁部の全周が環状の容器７に係合していることで（たとえば、接触し、くっ付いていることで）環状の容器７の内側に設けられている。
【００３８】
また、発光具１には、基台２３が設けられている。基台２３は、ハート型の底板部２５と、底板部２５から上方に延びており、容器７に係合して容器７を支えている容器支持部２７とを備えて構成されている。
【００３９】
映像表示部５で表示する映像は、動画、静止画の少なくともいずれかであり、動画として湯気が漂っているようにものを掲げることができ、静止画として花婿と花嫁とのスナップショットを掲げることができる。
【００４０】
注ぎ口１３は、漏斗２９を備えて構成されている。漏斗２９の足３１は、途中でほぼ直直角に曲がっている。また、容器７の上端には、円錐台側面状の漏斗支持部３３が上方に突出して設けられている。
【００４１】
そして、漏斗２９の円錐状の本体部が漏斗支持部３３の上方で漏斗支持部３３に被さり漏斗支持部３３に入り、漏斗２９の足３１が、容器７内に入り、足３１の曲がっている箇所よりも先端側が底点１５側を向くようにして、漏斗２９が容器７に設置されている。
【００４２】
これにより、漏斗２９から注がれた発光体（蛍光液と酸化液）３が、一方の側（底点１５側）にのみ流れ下るようになっている。
【００４３】
なお、容器７を円環状等の他の環形状に形成してもよく、さらには、環状にすることなく、蛇行等の曲線状、その他の形状にしてもよい。ただし、発光体３を注ぎ終わったときに、容器７の全体が発光体３で満たされる形状になっていることが望ましい。
【００４４】
また、蛍光液と酸化液とを混合するときに、蛍光液の量と酸化液の量とを適切なものにするために、漏斗２９内に仕切り部材３０と目盛り３２を設けてもよい（図２参照）。そして、漏斗２９内の仕切り部材３０の左側の空間に蛍光液を注ぎ、漏斗２９内の仕切り部材３０の右側の空間に酸化液を注ぐようにしてもよい。
【００４５】
次に、発光具１の動作について説明する。
【００４６】
床に設置されており中が空である容器７内に、注ぎ口１３から、蛍光液と酸化液（発光体３）を入れると同時に、映像表示部５での映像の表示を開始する。このとき、たとえば、新郎が酸化液を、新婦が蛍光液を注ぐ。映像として、はじめは、動画を表示する。発光体３が容器７内を総て満たす直前で、映像として静止画を表示する。
【００４７】
発光具１によれば、化学反応により発光し形態が変化する発光体３と、発光体３の発光に伴って映像を表示する映像表示部５とを有するので、発光具１を見る者は、発光体３による装飾効果だけでなく、発光体３と映像表示部５で表示される映像とが同時に目に映ることによって、装飾の相乗効果を得ることになる。これにより、従来のものに比べて装飾効果（演出効果）を一層高めることができる。
【００４８】
さらに、発光体３は、重力の作用等で形態が変化するので、形態の変化をある程度予測することができるが、映像表示部５では、予測困難で意外性のある映像を自由に表示することができるので、発光具１を見る者の目を引き感情を一層高めて心を満たすことができる。
【００４９】
また、映像表示部５で表示する映像の変更は容易であるので、発光具１が使用される状況に応じて、装飾効果を高めることが容易になる。
【００５０】
また、発光具１によれば、映像表示部５がプロジェクタ９によって投射された映像を表示するスクリーン１１で構成されているので、発光体３と映像表示部５のところへの配線が不要になり、発光具１の外観を良好なものにすることができる。また、映像表示部５がスクリーン１１で構成されているので、映像表示部５の形状を変形するときの自由度が高くなり、様々は形状の映像表示部５を容易に作成することができる。
【００５１】
また、発光具１において、発光体検出部の検出結果に応じて映像表示部５で表示する映像を変えるように構成すれば、発光体３の形態の変化に応じたタイミングで映像表示部５の映像を変えることができ、装飾効果をさらに一層高めることができる。
【００５２】
また、発光具１によれば、発光体３が液体であって容器７内に注がれるようになっており、注がれた量に応じて形態が変化するようになっているので、容器７の形状を変えるだけで発光体３の形態の変化を容易に変更することができる。
【００５３】
また、発光具１によれば、容器７が筒状の素材の両端をお互いにつなげた環状に形成されており、容器７の上端部に注ぎ口１３が設けられているので、発光体３を注ぐにつれて、容器７の両側の一対の液面が同じ高さで上昇する。これによる対称性で装飾効果を高めることができる。
【００５４】
また、注ぎ口１３から注がれた発光体３が一方の側の管内にのみ流れるようになっているので、発光体３を容器７に注ぎ入れているときの発光体３の流れが乱れることなく整う。これにより、装飾効果を高めることができる。
【００５５】
また、発光具１によれば、映像表示部５が平板状に形成されており縁部の全周が環状の容器７に係合していることで環状の容器７の内側に設けられているので、発光具１の強度が高くなっている。また、発光具１を見ている者が映像表示部５の映像を注視しているときに、映像を囲んでいる発光体３も視野に入る。これにより、発光体３と映像との相乗効果が高められ、装飾効果を高めることができる。
【００５６】
ところで、発光具１において、容器７が基台２３に着脱自在になっていてもよい。
【００５７】
すなわち、図４で示すように、スクリーン１１とスクリーン支持体３５とで基台２３構成してもよい。これにより、映像表示部５は基台２３の一部で構成されていることになる。スクリーン１１は容器７とほぼ同形状のハート型に形成されている。
【００５８】
スクリーン１１には、止め具３７が設けられており、この止め具３７に容器７が係合することで、容器７が基台２３に着脱自在になっている。
【００５９】
このように構成された発光具１によれば、容器７が基台２３に対して着脱自在になっているので、使用後の容器７の清掃がしやく、発光具１の再使用が容易になる。
【００６０】
また、スクリーン１１が、図５で示すように、たとえば、２枚の長方形状の平板で構成された衝立３９で構成されていてもよいし、図６で示すように、半円柱側面状の衝立３９で構成されていてもよい。衝立３９は、容器７から僅かに離れて容器７の近傍に設置される。
【００６１】
また、発光具１において、発光体３が、容器７から溢れ出ることで、形態が変化するように構成されていてもよい。映像表示部５は、容器７に近接して設けられている。
【００６２】
容器７は、たとえば、複数設けられており、これらの容器７は、上下方向（鉛直方向だけでなく斜めの方向も含む）で順にならんで配置されており、上側の１つの容器７から溢れ出た発光体３が、たとえば、上側の容器７に隣接し上記上側の１つの容器７の下側に配置されている下側の容器７に入るように構成されている。
【００６３】
たとえば、図７で示すように、基台２３に階段状部４１が設けられており、各容器７のそれぞれが、階段状部４１の各段のそれぞれに設置（載置）されて階段状に斜めにならんでいてもよい。また、映像表示部５が、基台２３の側面に設けられていてもよい。
【００６４】
詳しく説明すると、容器７は、図８、図９で示すように、たとえば、立方体状に形成されており、上部の中央に円柱状の凹部４３が形成されている。容器７の側部から樋４５が突出しており、樋４５の底面４７は傾斜面（先端側に向かうにしたがって下方に向かう傾斜面）になっている。そして、凹部４３に所定の量を超えた発光体３が注がれると、樋４５を通って発光体３が容器７から流れ出るようになっている。
【００６５】
図７で示す発光具１では、複数の容器７が斜めにならんで配置されており、最も上方の容器７に注がれた発光体３が、樋４５を通って下方の容器７に順に入るようになっている。
【００６６】
なお、容器７の下端からは円柱状の突起４９が突出している。基台２３は、容器７と同様に形成された立方体状の基台ユニット５１を複数個組み合わせることで階段状に形成されている。基台ユニット５１は透明もしくは半透明になっている。基台ユニット５１の上面には、突起４９が嵌合される円柱状の凹部５３が形成されており、基台ユニット５１の上面からは、突起４９と同様な突起が突出している。
【００６７】
そして、容器７の突起４９が基台ユニット５１の凹部５３に嵌合し、基台ユニット５１の突起が他の基台ユニット５１の凹部５３に嵌合されることで、複数の容器７と複数の基台ユニット５１とが適宜係合し、階段状の基台２３が形成され、各階段状部４１のそれぞれに各容器７のそれぞれが設置されている。
【００６８】
スクリーン１１は、図１０で示すように、平板状であって階段状の基台２３の側面と同形状に形成されている。そして、たとえば、基台２３の側面に接して、基台２３に一体的に設けられている。
【００６９】
図７で示す発光具１によれば、容器７に溜まるだけでなく容器７から溢れ出ることでも発光体３の形態が変化するように構成されているので、装飾効果を一層高めることができる。上側の容器７から溢れ出た発光体３が下側の容器７に順に入るように構成されているので、容器７への溜まりと容器７から溢れ出ることが繰り返され、装飾効果を一層高めることができる。
【００７０】
また、発光具１を、図１１、図１２で示すように構成してもよい。
【００７１】
すなわち、発光具１に、底板部５５と複数本の柱５７とを設けてもよい。各柱５７はお互いの高さが異なっていて高さ順にならんで底板部５５に立設されている。各柱５７のそれぞれの上端部に各容器７がそれぞれ設けられている。容器７は、図８、図９で示すものと同様に形成されている。ただし外形が円柱状等の形状になっていてもよい。
【００７２】
映像表示部５（スクリーン１１）は、板状に形成されており、各柱５７と各容器７とが一方の側に位置するように底板部５５に立設されている。所定の方向から見ると、スクリーン１１の内側に、各柱５７と各容器７の総てが入っている。
【００７３】
また、発光具１を、図１３、図１４で示すように構成してもよい。
【００７４】
すなわち、映像表示部５を筒状に形成し、中心軸が上下方向に延びるようにして配置してもよい。そして、筒状の映像表示部５の内部（下端部）もしくは外部から、筒状の映像表示部５のスクリーン１１に映像を投射してもよい。
【００７５】
容器７は、筒状の映像表示部５の上端に設けられており、容器７から溢れ出た発光体３が、筒状の映像表示部５の外側で筒状の映像表示部５を囲むようにして下方に流れるように構成されている。
【００７６】
容器７は、図１４で示すように、円錐台状に形成され内部に発光体３を溜めることができる本体部５９と、本体部５９の上端の縁に設けられた鍔部６１と、鍔部６１の外周の縁から斜め下方に延出している筒状の傾斜部６３とを備えて構成されている。
【００７７】
そして、筒状の映像表示部５の上端から本体部５９が映像表示部５に入り込み、鍔部６１が、映像表示部５の上端に当接し、傾斜部６３が映像表示部５の上端を覆うようにして、容器７が、映像表示部５の上端部に設置されている。
【００７８】
また、発光具１を、図１５〜図１９で示すように構成してもよい。
【００７９】
すなわち、発光具１がテーブル６５を備えて構成されていてもよい。テーブル６５には、容器７が載置される容器載置部６７と、この容器載置部６７に隣接し容器載置部６７のところから斜め上方に向かって延びている階段状部６９が設けられている。映像表示部５は、テーブル６５の階段状部６９で構成されている。すなわち、テーブル６５の下方内部に設けられているプロジェクタ９によって階段状部６９に映像を投射するようになっている。映像の投射部位は、階段状部６９の段部７１であってもよいし、階段状部６９の起立部７３であってもよいし、階段状部６９の段部７１および起立部７３の両方であってもよい。
【００８０】
また、テーブル６５は、透明もしくは半透明な適宜の形状の複数の平板状の素材を組み立てた形状になっている。階段状部６９は、容器載置部６７の両側に一対で設けられている。
【００８１】
なお、上記説明では、発光体３を液体で構成しているが、図２０や図２１で示すように、発光体３を蝋燭７５等の燃焼によって光を発するもので構成してもよい。
【００８２】
図２０、図２１で示す発光体３を構成している各蝋燭７５は、お互いが導火線７７で順に接続されており、たとえば、最も下に位置する蝋燭７５Ａに点火することで、各蝋燭７５に順に点火がなされ、発光体３の形態が変化するようになっている。
また、発光体として、ＬＥＤ等（たとえば複数のＬＥＤ）を採用してもよい。
【符号の説明】
【００８３】
１  発光具
３  発光体
５  映像表示部
７  容器
９  プロジェクタ
１１  スクリーン
２３  基台
４１  階段状部
５５  底板部
５７  柱
６５  テーブル
６７  容器載置部
６９  階段状部
【図１】
2015148742.tif 000003
【図２】
2015148742.tif 000004
【図３】
2015148742.tif 000005
【図４】
2015148742.tif 000006
【図５】
2015148742.tif 000007
【図６】
2015148742.tif 000008
【図７】
2015148742.tif 000009
【図８】
2015148742.tif 000010
【図９】
2015148742.tif 000011
【図１０】
2015148742.tif 000012
【図１１】
2015148742.tif 000013
【図１２】
2015148742.tif 000014
【図１３】
2015148742.tif 000015
【図１４】
2015148742.tif 000016
【図１５】
2015148742.tif 000017
【図１６】
2015148742.tif 000018
【図１７】
2015148742.tif 000019
【図１８】
2015148742.tif 000020
【図１９】
2015148742.tif 000021
【図２０】
2015148742.tif 000022
【図２１】
2015148742.tif 000023